(57)【特許請求の範囲】
【請求項１】
屋根に設置した太陽光の集熱装置によって空気を加熱し、集熱ダクト、第１のダンパー付きの吸気ダクト、送風制御手段、及び送風ダクトを介して床下空間及び居室に加熱した空気を供給するソーラシステムハウスにおいて、
外壁に、内部に広がって形成され下部に空気取り入れ口を備えた外壁部通気路を設け、該外壁部通気路の上部を前記集熱装置の空気入口に連結して、該外壁部通気路の上部から出る空気を該集熱装置に供給し、
前記送風制御手段として、送風機能、暖房機能及び冷房機能を有するエアコンディショナーを用い、該エアコンディショナーの空気取り入れ口は、共通のチャンバーボックスを介して、前記吸気ダクト、第２のダンパーを備えた室内空気取り入れダクト、及び外部空気取り入れダクトが接続され、前記エアコンディショナーの空気出口は前記送風ダクトに連結されて、 
前記外部空気取り入れダクトは、それぞれファンを備えて、前記チャンバーボックスから排気管を介して排気する空気を外部に排出する一次側経路と、外部空気を導入管を介して前記チャンバーボックスに導入する二次側経路を備える熱交換器を有し、
１）前記集熱ダクト内の空気の温度が前記居室の暖房を行うのに十分な場合は、前記エアコンディショナーの送風機能を稼働させて、前記床下空間及び前記居室に加熱された空気を輸送し、
２）太陽光が弱く、前記集熱ダクト内の空気の温度が暖房を行うのに使用できない場合は、前記第１のダンパーを閉じて、前記一次側経路と前記二次側経路の各ファンを作動させて、前記チャンバーボックス内に外部空気を流入させ、前記エアコンディショナーの暖房機能及び送風機能を用いて、前記床下空間及び前記居室に加熱された空気を輸送すると共に、前記居室から前記チャンバーボックス内に取り入れた空気の一部を前記排気管を介して外部に排出し、
３）外部空気の温度が前記居室の冷房を行うのに十分な場合は、前記第１のダンパーを閉じて、前記一次側経路と前記二次側経路の各ファンを作動させて、前記チャンバーボックス内に外部空気を流入させ、前記エアコンディショナーの送風機能を用い、外部空気の温度が冷房を行うのに不十分な温度である場合には、前記エアコンディショナーの冷房機能と送風機能を作動させて、前記床下空間及び前記居室の冷房を行うことを特徴とするソーラシステムハウス。
【請求項２】
請求項１記載のソーラシステムハウスにおいて、前記集熱装置には、第３のダンパーを備えた加熱空気取り出しダクトを介して取り出された加熱空気と水との間で熱交換を行なって水を温水にする温水製造手段が接続されている。
【発明の詳細な説明】
【技術分野】
【０００１】
本発明は、外壁の下部から取り入れた空気を太陽光の集熱装置に供給して加熱空気とすることで冬季には建物の暖房に利用し夏季には冷房効率の向上を図るソーラシステムハウスに関する。
【背景技術】
【０００２】
住宅の南側に大きな開口部（例えば、窓）を設けて冬季に日照を取り込み暖を得たり、夏季にこの開口部を利用して住宅内に風を取り込み涼を得たりすることは、従来から行なわれている。そして、この考えを進め、より効率的に暖房及び冷房を行なうシステムが種々提案されている。
例えば、特許文献１には、軒先に設けた吸気口から取り入れた空気を屋根の背面側に設けた空気流路を通過させながら太陽光により加熱し、冬季には加熱した空気をファンを用いて床下空間に供給して暖房を行ない、夏季にはファンを用いて加熱された空気を床下空間の空気と共に外部に排出するソーラーシステムハウスが提案されている。
特許文献２には、軒先に設けた吸気口から取り入れた空気を金属板の屋根の背面側に設けた空気流路を通過させながら太陽光により加熱し屋根の棟部分に配置した集熱ボックスに蓄積し、蓄積した空気をファンを用いて床下空間に供給して床面を温めたり、コンクリートスラブの蓄熱体に供給して蓄熱させたり、居室内に供給して居室を直に暖房するソーラーシステムハウスが提案されている。
【０００３】
特許文献３には、軒先に設けた吸気口から取り入れた空気を金属板の屋根の背面側に設けた空気流路を通過させながら太陽光により加熱し屋根の棟部分に配置した集熱ボックスに蓄積すると共に、集熱ボックスと床下空間の蓄熱及び放熱部とを送風機を備えたダクトで連通させ、温められた空気がある程度集熱ボックスに溜られた段階で送風機を駆動して床下空間の蓄熱及び放熱部に供給するソーラーシステムハウスが提案されている。
特許文献４には、太陽熱の採熱を行う採熱面（例えば、屋根板）の下に形成した空気流路に調湿材を配設し、夏の昼間の集熱時には、軒先から取り入れた空気を採熱面で集熱された太陽熱で加熱し、得られた加熱空気で空気流路の調湿材を乾燥させながら熱交換器（例えば、お湯とりコイル）に供給し熱交換を行ないながら排気ダクトで屋外へ排出し、夏の夜間には軒先から取り入れた冷気を空気流路に取り込んで採熱面からの放射冷却で冷却し更に調湿材と接触させて低湿にしてから居室内に取り入れ冷房に利用するソーラーシステムが提案されている。
【０００４】
【特許文献１】特開昭６４−７５８５８号公報
【特許文献２】特開平５−２４８７１０号公報
【特許文献３】特開平７−４２２６５号公報
【特許文献４】特開平９−７２６１８号公報
【発明の開示】
【発明が解決しようとする課題】
【０００５】
しかしながら、特許文献１〜３に記載の発明では、十分な日照が得られない場合は外気の加熱が不十分となるため、暖房装置を各居室に設置する（なお、床下空間も暖房する場合は床下空間にも暖房装置を設置する）必要がある。また、特許文献１〜３に記載された発明は冷房作用を有さないため、特許文献４に記載の発明では補助的な冷房作用しか有さないため、冷房を行なう場合は空冷機を各居室に設置しなければならなかった。このため、特許文献１〜４に記載のソーラーシステムを使用しながら天候に影響を受けずに建物の冷暖房を行なう場合、ソーラーシステム用の機械類に加えて、暖房装置及び冷房装置を別に設置することになり、建物内での配管及び配線が複雑になることに伴って施工及びメンテナンス作業が煩雑になるという問題が生じ、施工コスト及びメンテナンスコストがそれぞれ増加するという問題がある。
更に、建築基準法の改正によりシックハウス対策に関する規制が導入され、２４時間換気が義務付けられるようになっている。このため、ソーラーシステムに加えて居室内の換気を行なう換気システムを設ける必要が生じるが、ソーラーシステムによる建物の暖房を行ないながら居室の換気を行なうには、独立した２つのシステムを連携させながら操作しなければならず、各システムの操作が非常に困難になる。
【０００６】
本発明はかかる事情に鑑みてなされたもので、外壁の下部から取り入れた空気を太陽光の集熱装置に供給して加熱空気とすることで冬季には建物の暖房に利用し夏季には冷房効率の向上を図ると共に建物の２４時間換気にも対応可能なソーラーシステムハウスを提供することを目的とする。
【課題を解決するための手段】
【０００７】
前記目的に沿う本発明のソーラシステムハウスは、屋根に設置した太陽光の集熱装置によって空気を加熱し、集熱ダクト、第１のダンパー付きの吸気ダクト、送風制御手段、及び送風ダクトを介して床下空間及び居室に加熱した空気を供給するソーラシステムハウスにおいて、
外壁に、内部に広がって形成され下部に空気取り入れ口を備えた外壁部通気路を設け、該外壁部通気路の上部を前記集熱装置の空気入口に連結して、該外壁部通気路の上部から出る空気を該集熱装置に供給し、
前記送風制御手段として、送風機能、暖房機能及び冷房機能を有するエアコンディショナーを用い、該エアコンディショナーの空気取り入れ口は、共通のチャンバーボックスを介して、前記吸気ダクト、第２のダンパーを備えた室内空気取り入れダクト、及び外部空気取り入れダクトが接続され、前記エアコンディショナーの空気出口は前記送風ダクトに連結されて、 
前記外部空気取り入れダクトは、それぞれファンを備えて、前記チャンバーボックスから排気管を介して排気する空気を外部に排出する一次側経路と、外部空気を導入管を介して前記チャンバーボックスに導入する二次側経路を備える熱交換器を有し、
１）前記集熱ダクト内の空気の温度が前記居室の暖房を行うのに十分な場合は、前記エアコンディショナーの送風機能を稼働させて、前記床下空間及び前記居室に加熱された空気を輸送し、
２）太陽光が弱く、前記集熱ダクト内の空気の温度が暖房を行うのに使用できない場合は、前記第１のダンパーを閉じて、前記一次側経路と前記二次側経路の各ファンを作動させて、前記チャンバーボックス内に外部空気を流入させ、前記エアコンディショナーの暖房機能及び送風機能を用いて、前記床下空間及び前記居室に加熱された空気を輸送すると共に、前記居室から前記チャンバーボックス内に取り入れた空気の一部を前記排気管を介して外部に排出し、
３）外部空気の温度が前記居室の冷房を行うのに十分な場合は、前記第１のダンパーを閉じて、前記一次側経路と前記二次側経路の各ファンを作動させて、前記チャンバーボックス内に外部空気を流入させ、前記エアコンディショナーの送風機能を用い、外部空気の温度が冷房を行うのに不十分な温度である場合には、前記エアコンディショナーの冷房機能と送風機能を作動させて、前記床下空間及び前記居室の冷房を行う。
【０００８】
【０００９】
【００１０】
【００１１】
本発明に係るソーラシステムハウスにおいて、前記集熱装置には、第３のダンパーを備えた加熱空気取り出しダクトを介して取り出された加熱空気と水との間で熱交換を行なって水を温水にする温水製造手段が接続されていることが好ましい。
【発明の効果】
【００１２】
請求項１、２記載のソーラシステムハウスにおいては、空気を外壁の下部から取り入れ外壁部通気路を通過させながら集熱装置に供給するので、外壁部通気路を通過する際にも空気が暖められ、より温度の高い空気を得ることができ、建物の暖房を効果的に行なうことが可能になる。また、外壁部通気路を通過する空気は通過中に外壁の有する熱を持ち去ることができるので、外壁を介して建物内に進入する熱量を低減することができ、夏季に建物内の温度が上昇するのを抑えることが可能になる。
【００１３】
特に、このソーラシステムハウスにおいては、エアコンディショナーを用いることにより、集熱装置により暖房に使用できる十分な温度の加熱空気が得られる場合はエアコンディショナーの送風機能を用いて建物内に加熱空気を供給することができ、集熱装置から暖房としては不十分な温度の空気しか得られない場合はエアコンディショナーの加熱及び送風機能を用いて加温した空気を建物内に供給することができ、集熱装置から暖房に全く使用できない温度の空気しか得られない場合はエアコンディショナーの加熱及び送風機能を用いて外部空気取り入れダクトから取り入れた外部空気を加熱して建物内に供給することができ、天候の影響を受けずに建物の暖房を安定して行なうことが可能になる。また、室内空気取り入れダクトをエアコンディショナーの空気取り入れ口に接続することにより、温度調節された室内空気を循環させて使用することができ、エアコンディショナーの負担を軽減して建物の暖房を効率的かつ安価に行なうことができる。
【００１４】
そして、チャンバーボックスを設けることによりエアコンディショナーの空気取り入れ口に接続されるダクト構成を簡単にすることができ、施工及びメンテナンス作業を容易に行なうことが可能になる。その結果、施工コスト及びメンテナンスコストをそれぞれ低減することが可能になる。
【００１５】
また、このソーラシステムハウスにおいては、建物内の換気を行なうことができ、建物の２４時間換気に容易に対応することができる。その際、外部空気取り入れダクト内を通過する外部空気と外部に排出される室内空気との間で熱交換が行なわれ、熱交換された外部空気がエアコンディショナーの空気取り入れ口に供給されるので、エアコンディショナーの負担を軽減して建物の冷暖房を効率的かつ安価に行なうことができる。
【００１６】
請求項２記載のソーラシステムハウスにおいては、温水を容易かつ安価に得ることが可能になる。
【発明を実施するための最良の形態】
【００１７】
続いて、添付した図面を参照しつつ、本発明を具体化した実施の形態につき説明し、本発明の理解に供する。
ここで、図１は本発明の一実施の形態に係るソーラシステムハウスの説明図、図２（Ａ）、（Ｂ）はそれぞれ同ソーラシステムハウスの集熱装置の平断面図、側断面図、図３（Ａ）、（Ｂ）はそれぞれ同ソーラシステムハウスの外壁部通気路の平断面図、側断面図、図４は集熱装置と外壁部通気路を接続する接続通気路の側断面図、図５は外部空気取り入れダクトの設けられた熱交換器の説明図、図６は本発明の一実施の形態に係るソーラシステムハウスで日照時に暖房を行なう場合のフロー図、図７は同ソーラシステムハウスで日照時に暖房を行なう場合の空気の流れを示す説明図、図８は同ソーラシステムハウスで非日照時に暖房を行なう場合のフロー図、図９は同ソーラシステムハウスで非日照時に暖房を行なう場合の空気の流れを示す説明図、図１０は同ソーラシステムハウスで夏季に冷房を行なう場合のフロー図、図１１は同ソーラシステムハウスで夏季に冷房を行なう場合の空気の流れを示す説明図である。
【００１８】
図１に示すように、本発明の一実施の形態に係るソーラシステムハウス１０は、例えば、南向きの屋根１１に設置した太陽光の集熱装置１２によって空気を加熱し、第１のダンパー１３付きの吸気ダクト１４、送風制御手段の一例であるエアコンディショナー１５、及び送風ダクト１６を介して床下空間１７及び居室１８に加熱した空気を供給するものである。このソーラシステムハウス１０の、例えば、南向きの外壁１９には、外壁１９の内部に広がって形成され下部に空気取り入れ口２０を備えた外壁部通気路２１が設けられ、外壁部通気路２１の上部は集熱装置１２の空気入口２２に連結している。以下、これらについて詳細に説明する。
【００１９】
図２に示すように、集熱装置１２は、屋根１１の野地板２３を覆うように設置された偏平箱型の屋根部通気路機構２４を備えている。そして、屋根部通気路機構２４は、野地板２３上に配置された防水シート２５と、防水シート２５を介して野地板２３の周囲に取付けられる第１の屋根用枠体２６（例えば、厚みが２５〜３５ｍｍ）と、第１の屋根用枠体２６の内側に第１の屋根用枠体２６と実質的に同一厚みを有し軒先側から屋根１１の頂上側に平行に間隔を設けて配置される複数の第１の補強部材２７と、第１の屋根用枠体２６及び第１の補強部材２７の各上面で支えられ上表面が吸熱色（例えば、黒色）を呈した薄鉄板２８とを有している。
【００２０】
また、屋根部通気路機構２４は、薄鉄板２８の周囲に取付けられる第２の屋根用枠体２９（例えば、厚みが４０〜６０ｍｍ）と、第２の屋根用枠体２９の内側に第２の屋根用枠体２９と実質的に同一厚みを有し軒先側から屋根１１の頂上側に平行に間隔を設けて配置される複数の第２の補強部材２９ａと、第２の屋根用枠体２９及び第２の補強部材２９ａの上端でそれぞれ支えられる、例えば、ガラス又は透明プラスチックで形成された透光性板３０とを有している。なお、第１の屋根用枠体２６の下端部（軒先側の端部）には第１の屋根用枠体２６の幅（水平）方向に伸びる長孔が設けられて空気入口２２が、第１の屋根用枠体２６の上端部（屋根１１の頂上側の端部）には第１の屋根用枠体２６の幅（水平）方向に伸びる長孔が設けられて空気出口３１がそれぞれ形成されている。
【００２１】
更に、集熱装置１２には、空気出口３１と一体的に接続する集熱ダクト３２が、集熱装置１２が取付けられた屋根１１に棟を挟んで配置される屋根３３の頂上側に棟に沿って設けられている。また、集熱ダクト３２の内面側には断熱材が取付けられ、屋根３３に当接する集熱ダクト３２の底面には第１の排出口３４が、集熱ダクト３２の下端部には第２の排出口３５がそれぞれ設けられている。なお、屋根１１、３３のいずれもが太陽光で加熱される場合は、屋根１１、３３にそれぞれ集熱装置を取付け、集熱ダクトを屋根１２、３３のいずれか一方の頂上側又は棟部に設けるようにすることができる。
【００２２】
図３（Ａ）、（Ｂ）に示すように、外壁部通気路２１は、太陽光で加熱される外壁１９の外壁下地層３６の表面を覆うように取付けられた偏平箱型の外壁通気機構３７を備え、外壁通気機構３７は外壁下地層３６に取付けられる調湿シート３８と、調湿シート３８を介して外壁下地層３６の周囲に取付けられる壁用枠体３９と、壁用枠体３９の内側に壁用枠体３９と実質的に同一厚みを有し上下方向に間隔を設けて平行に配置される複数の縦胴縁４０と、壁用枠体３９及び縦胴縁４０の外側表面に取付けられる外壁仕上げ材４１とを有している。そして、壁用枠体３９の下端部には壁用枠体３９の幅（水平）方向に伸びる長孔が設けられて空気取り入れ口２０を形成し、壁用枠体３９の上端部には壁用枠体３９の幅（水平）方向に伸びる長孔が設けられて空気取り出し口４２を形成している。更に、壁用枠体３９の下端部の外側には空気取り入れ口２０に進入する雨水を防ぐカバー部材４３が建物基礎４４の外周面と平行に取付けられている。ここで、調湿シート３８とは、水蒸気は自由に通過させるが、水は通過させない特性を有するものを指す。
【００２３】
そして、集熱装置１２の空気入口２２と外壁部通気路２１の空気取り出し口４２とは、図４に示すように、軒下に設けられた接続通気路４５を介して接続されている。ここで、接続通気路４５は、軒下材４６に取付けられ外壁下地層３６に取付けられた調湿シート３８の先端部及び野地板２３上に配置された防水シート２５の先端部を接続する調湿シート４７と、調湿シート４７から隙間を設けて配置され外壁仕上げ材４１の上端及び薄鉄板２８の先端を接続する軒下仕上げ材４８とを有している。なお、接続通気路４５内には、軒下仕上げ材４８を支持する軒下補強材４９が、水平方向に間隔を設けて平行に配置されている。
【００２４】
このような構成とすることにより、太陽光が屋根１１に当たると、太陽光は透光性板３０を通過して薄鉄板２８に達して薄鉄板２８を加熱する。このため、空気口２２から屋根部通気路機構２４内に流入した空気は、薄鉄板２８に接触して加熱され、温度が上がった空気は上昇気流となって薄鉄板２８と防水シート２５の間の隙間を上昇し、空気出口３１を通って集熱ダクト３２内に流入する。そして、屋根部通気路機構２４内での空気の流れに伴って、外壁部通気路２１内の空気は屋根部通気路機構２４内に移動し、外壁部通気路２１内には空気取り入れ口２０から外部の空気が進入するようになる。その結果、日照時に、空気取り入れ口２０から取り入れた空気を外壁部通気路２１を介して屋根部通気路機構２４内に流入させ、屋根部通気路機構２４内を通過させながら徐々に加熱し、温度が上昇した空気を集熱ダクト３２内に集めることができる。
【００２５】
なお、外壁部通気路２１を空気が通過することにより、外壁１９の有する熱が空気により奪われるため、外壁１９の温度の上昇が抑制され、特に、夏季では、ソーラシステムハウス１０内への熱の流入を抑制することでソーラシステムハウス１０内の温度上昇を抑えることができる。ここで、薄鉄板２８と透光性板３０の間には第２の屋根用枠体２９（第２の補強部材２９ａ）の厚みに相当する厚さの空気層が形成されているので、この空気層が断熱層として作用して薄鉄板２８の表面から熱が逃げるのを防止する。このため、太陽が雲で遮られて太陽光が薄鉄板２８に到達しない期間が存在しても、一度温まった薄鉄板２８の温度が急激に低下するのを防止できる。
【００２６】
集熱ダクト３２の第１の排出口３４には、第１のダンパー１４付きの吸気ダクト１５の一側が接続され、吸気ダクト１５の他側はチャンバーボックス５３に接続している。そして、チャンバーボックス５３にはエアコンディショナー１５の図示しない空気取り入れ口が接続されている。また、チャンバーボックス５３には、ソーラーシステムハウス１０内の居室１８の室内空気を取り入れる第２のダンパー５４を備えた室内空気取り入れダクト５５と、ソーラーシステムハウス１０内に外部から空気を取り入れる外部空気取り入れダクト５７がそれぞれ接続されている。更に、エアコンディショナー１５の図示しない空気出口には、エアコンディショナー１５から送り出される空気を、床下空間１７及び居室１８にそれぞれ輸送する床下送風路５８及び居室送風路５９を備えた送風ダクト１６が連結されている。
【００２７】
ここで、図５に示すように、外部空気取り入れダクト５７は、チャンバーボックス５３から排気管６１を介して排気した室内空気を一次側経路６２に流し、外部空気吸気部６３から吸気した外部空気を二次側経路６４に流して相互に熱交換を行なわせる吸気機構（例えば、ファン）を一次側経路６２及び二次側経路６４にそれぞれ備えた熱交換器６５を有している。そして、一次側経路６２を通過した室内空気は放出管６６を介して外部に排出され、二次側経路６４を通過した外部空気は導入管５６を介してチャンバーボックス５３内に供給される。なお、一次側経路６２及び二次側経路６４にそれぞれ設けられた吸気機構は、建物内の総空気量（各居室１８内及び床下空間１７内の空気の総量）を少なくとも２時間で１回入れ換え可能となる吸気能力を有するものを使用する。
【００２８】
このような構成とすることにより、第１のダンパー１３を開けて一次側経路６２及び二次側経路６４に設けられた各吸気機構を停止させると、チャンバーボックス５３を介してエアコンディショナー１５に集熱ダクト３２内の加熱された空気を流入させることができ、集熱ダクト３２内の空気の温度が居室１８の暖房を行なうのに十分な温度である場合は、エアコンディショナー１５の送風機能を稼動させ、床下送風路５８及び居室送風路５９を介して加熱された空気を床下空間１７及び居室１８にそれぞれ輸送して床下暖房及び居室暖房を行なうことができる。
【００２９】
太陽光が弱く集熱ダクト３２内の空気の温度が暖房を行なうのに全く使用できない場合は、第１のダンパー１３を閉じてエアコンディショナー１５の暖房機能及び送風機能と、一次側経路６２及び二次側経路６４に設けられた各吸気機構をそれぞれ稼動させる。これによって、チャンバーボックス５３内に導入管５６を介して外部空気を流入させると共に、各居室１８から取り入れてチャンバーボックス５３内に流出させた建物内の空気の一部を排気管６１を介して外部に放出してチャンバーボックス５３内の空気の一部を入れ換えることができ、一部が外部空気で置き換えられたチャンバーボックス５３内の空気をエアコンディショナー１５に供給して加熱し、床下送風路５８及び居室送風路５９を介して加熱された空気を床下空間１７及び居室１８にそれぞれ輸送して床下暖房及び居室暖房を行なうことができる。その結果、室内空気をエアーコンディショナー１５を用いて循環させながら、室内空気の一部を換気することができる。
【００３０】
ここで、チャンバーボックス５３内の空気が排気管６１を介して熱交換器６５の一次側経路６２に流入して放出管６６を介して外部に排出される際、熱交換器６５の二次側経路６４内を通過してチャンバーボックス５３に向かう外部空気との間で熱交換が行われて、チャンバーボックス５３内には温度が上昇した外部空気が流入する。これによって、チャンバーボックス５３内に外部空気が流入しても、チャンバーボックス５３内の空気の温度が急激に低下するのが防止されると共に、エアコンディショナー１５による暖房負担を低減することができる。
【００３１】
一方、外部空気の温度が居室１８の冷房を行なうのに十分な温度である場合は、第１のダンパー１３を閉じて一次側経路６２及び二次側経路６４に設けられた各吸気機構をそれぞれ稼動させると共に、エアコンディショナー１５の送風機能を稼動させる。これによって、一部が外部空気で置き換えられて温度の低下したチャンバーボックス５３内の空気をエアコンディショナー１５に供給することができ、床下送風路５８及び居室送風路５９を介して温度の低下したチャンバーボックス５３内の空気を床下空間１７及び居室１８にそれぞれ輸送して冷房を行なうことができる。なお、外部空気の温度が冷房を行なうのに不十分な温度である場合は、エアコンディショナー１５の冷房機能と送風機能を稼動させる。
【００３２】
集熱ダクト３２の第２の排出口３５には、第３のダンパー６７を備えた加熱空気取り出しダクト６８が接続され、加熱空気取り出しダクト６８の下流側には、水を温水にする温水製造手段６９が接続されている。ここで、温水製造手段６９は、加熱空気取り出しダクト６８を介して集熱ダクト３２から取り出した加熱された空気が通過する加熱空気経路７０及び水が通過するコイル状の水加熱経路７１を備えた熱交換器７２と、熱交換器７２の加熱空気経路７０を通過した空気を屋外空間に排気する排熱ファン７３を有している。更に、温水製造手段６９には、熱交換器７２の水加熱経路７１の入口側に水を供給し出口側から流出する温水を貯留する、循環ポンプ（図示せず）を備えた給湯タンク７４と、給湯タンク７４の給湯口に給湯用ボイラー７５を介して接続されソーラーシステムハウス１０内で湯を必要とする各居室（例えば、台所、洗面所、浴室）まで湯を輸送する給湯配管７６を備えた給湯装置７７が設けられている。
【００３３】
このような構成とすることにより、熱交換器７２の水加熱経路７１に給湯タンク７４内の水を循環させながら、第１のダンパー１３を閉じ、第３のダンパー６７を開けて排熱ファン７３を運転することにより、熱交換器７２の加熱空気経路７０に集熱ダクト３２内の加熱された空気を通過させながら水加熱経路７１内を通過する水を加熱することができ、給湯タンク７４内の水の温度を徐々に上げて給湯タンク７４内に温水が貯留される状態にすることができる。そして、日照が十分な場合は、集熱ダクト３２内に高温の加熱された外気を集めることができ、給湯タンク７４内に温度の高い温水を貯留することができ、貯留されている温水を給湯配管７６を介して供給することができる。また、日照が不十分な場合は、給湯タンク７４に貯留される温水の温度は低くなるので、給湯用ボイラー７５で加熱し温水の温度を上げて供給する。
【００３４】
続いて、本発明の一実施の形態に係るソーラシステムハウス１０の作用について説明する。
図６、図７に示すように、日照が十分なときにソーラシステムハウス１０の暖房を行なう場合は、先ず、吸気ダクト１４の第１のダンパー１３を開け、外部空気取り入れダクト５７に設けられた熱交換器６５の一次側経路６２及び二次側経路６４にそれぞれ設けられた吸気機構を停止させ、更に、加熱空気取り出しダクト６８の第３のダンパー６７を閉じる。そして、太陽光により集熱装置１２が加熱されると、屋根部通気路機構２４内の空気は上昇気流となって集熱ダクト３２内に流入し、これに伴って外壁部通気路２１内の空気は屋根部通気路機構２４内に移動し、外壁部通気路２１内には空気取り入れ口２０から外部空気が流入するようになる。
【００３５】
集熱ダクト３２内に加熱された空気が集まっている状態で、エアーコンディショナー１５の送風機能を稼動させると、吸気ダクト１４、チャンバーボックス５３、送風ダクト１６の床下送風路５８及び居室送風路５９を介して加熱された空気を床下空間１７及び各居室１８にそれぞれ輸送して暖房を行なうことができる。なお、床下空間１７に輸送された空気は床下空間１７から床を介して１階部分の居室１８内に流入する。そして、建物自体は完全気密構造ではないので、各居室１８内の空気は徐々に外部に流出する。また、各居室１８の窓及びドアの開け閉めにより、居室１８内の空気の外部への流出は更に促進される。このように、日照が十分なときのソーラシステムハウス１０の暖房では、集熱装置１２で加熱した外部の空気が建物内に常時流入しているので、暖房を行いながら建物内の換気が行われることになる。なお、湯が必要な場合は、給湯装置７７の給湯タンク７４に貯留される水を給湯用ボイラー７５で加熱し温水として給湯配管７６を介して供給する。
【００３６】
図８、図９に示すように、非日照時にソーラシステムハウス１０の暖房を行なう場合、吸気ダクト１４の第１のダンパー１３を閉じ、外部空気取り入れダクト５７に設けられた熱交換器６５の一次側経路６２及び二次側経路６４にそれぞれ設けられた吸気機構を稼動させ、更に、室内空気取り入れダクト５５の第２のダンパー５４を開けて、エアーコンディショナー１５の暖房機能と送風機能を稼動させる。これにより、室内空気取り入れダクト５５及びチャンバーボックス５３を介してエアーコンディショナー１５の空気取り入れ口に流入させた居室１８内の室内空気をエアーコンディショナー１５で加熱して、送風ダクト１６の居室送風路５９により居室１８内に供給して暖房を行なうことができる。
【００３７】
ここで、チャンバーボックス５３内の空気の一部は、排気管６１を介して熱交換器６５の一次側経路６２に流入し、一次側経路６２に流入した空気は放出管６６を介して外部に排出されるが、このとき外部空気吸気部６３を介して熱交換器６５の二次側経路６４内を通過する外部空気との間で熱交換（一次側経路６２を通過する室内空気の温度を下げて二次側経路６４を通過する外部空気の温度を上げる）が行われる。これによって、チャンバーボックス５３内の空気を外部に排出しながら温度の上がった外部空気をチャンバーボックス５３内に供給することができ、暖房を行ないながら居室１８内の換気を行なうことができる。外部空気の温度を上げてからチャンバーボックス５３内に流入させるので、外部空気の流入に伴うチャンバーボックス５３内の空気の温度低下幅を小さくすることができ、エアーコンディショナー１５の負担を低く抑えることができる。
また、送風ダクト１６の床下送風路５８を用いて床下空間１７にエアーコンディショナー１５で加熱した空気を供給すれば、床下暖房を行なうことができる。なお、湯が必要な場合は、給湯装置７７の給湯タンク７４に貯留される水を給湯用ボイラー７５で加熱し温水として給湯配管７６を介して供給する。
【００３８】
図１０、図１１に示すように、夏季にソーラシステムハウス１０の冷房を行なう場合、吸気ダクト１４の第１のダンパー１３を閉じ、外部空気取り入れダクト５７に設けられた熱交換器６５の一次側経路６２及び二次側経路６４にそれぞれ設けられた吸気機構を稼動させ、更に、室内空気取り入れダクト５５の第２のダンパー５４を開けて、エアーコンディショナー１５の冷房機能と送風機能を稼動させる。これにより、これにより、室内空気取り入れダクト５５及びチャンバーボックス５３を介してエアーコンディショナー１５の空気取り入れ口に流入させた居室１８内の室内空気をエアーコンディショナー１５で冷却して、送風ダクト１６の居室送風路５９により居室１８内に供給して冷房を行なうことができる。
【００３９】
排気管６１を介して、チャンバーボックス５３内の空気の一部は熱交換器６５の一次側経路６２に流入し、一次側経路６２に流入した空気は放出管６６を介して外部に排出されるが、このとき外部空気吸気部６３を介して熱交換器６５の二次側経路６４内を通過する外部空気との間で熱交換（一次側経路６２を通過する室内空気の温度を上げて二次側経路６４を通過する外部空気の温度を下げる）が行われる。これによって、チャンバーボックス５３内の空気を外部に排出しながら温度の下がった外部空気をチャンバーボックス５３内に供給することができ、冷房を行ないながら居室１８内の換気を行なうことができる。外部空気の温度を下げてからチャンバーボックス５３内に流入させるので、外部空気の流入に伴うチャンバーボックス５３内の空気の温度上昇幅を小さくすることができ、エアーコンディショナー１５の負担を低く抑えることができる。また、送風ダクト１６の床下送風路５８を用いて床下空間１７にエアーコンディショナー１５で冷却した空気を供給すれば、床下冷房を行なうことができる。
【００４０】
一方、太陽光により集熱装置１２が加熱されると、屋根部通気路機構２４内の空気は上昇気流となって集熱ダクト３２内に流入し、これに伴って外壁部通気路２１内の空気は屋根部通気路機構２４内に移動し、外壁部通気路２１内には空気取り入れ口２０から外部空気が流入するようになる。このため、外壁部通気路２１を空気が通過する際に外壁１９に蓄熱された熱が持ち去られ、外壁１９から居室１８内への熱の貫入量が少なくなって冷房効率が上昇する。
そして、集熱ダクト３２内に集められた加熱された空気を、第３のダンパー６７を開けて、排熱ファン７３を運転して熱交換器７２の加熱空気経路７０に流入させて通過させると、水加熱経路７１内を流れている水との間で熱交換が行なわれ、給湯タンク７４には温度の高くなった水が戻る。従って、熱交換器７２の水加熱経路７１に給湯タンク７４内の水の循環を継続して行なうと、給湯タンク７４内の水の温度が徐々に上昇して給湯タンク７４内には温水が貯留されることになる。このため、湯が必要な場合は、給湯タンク７４に貯留されている温水を給湯配管７６を介して供給することができる。
【００４１】
以上、本発明の実施の形態を説明したが、本発明は、この実施の形態に限定されるものではなく、発明の要旨を変更しない範囲での変更は可能であり、前記したそれぞれの実施の形態や変形例の一部又は全部を組み合わせて本発明のソーラシステムハウスを構成する場合も本発明の権利範囲に含まれる。
例えば、本実施の形態では、集熱装置、外壁部通気路をそれぞれ南向きの屋根及び外壁に設けたが、日当たりが確保できれば東向きや西向きの屋根及び外壁にそれぞれ集熱装置と外壁部通気路を設けることもできる。
また、第２の屋根用枠体及び第２の補強部材を薄鉄板の周囲に取付けたが、屋根の頂上から軒先側の少なくとも６〜７ｍの帯状領域の薄鉄板の上に第２の屋根用枠体及び第２の補強部材設け、この帯状領域を覆うように透光性板を設けるようにしてもよい。これによって、透光性板の設置面積を少なくして屋根部通気路機構の製作コストを低減することができる。なお、少なくとも６〜７ｍの帯状領域を透光性板で覆うようにしたのは、太陽が雲で遮られて集熱が停止しても薄鉄板を介しての熱の流出を抑えることができ、屋根部通気路の温度降下を少なくすることができるからである。
更に、チャンバーボックス内の空気を排気管を介して熱交換器の一次側経路に流入させるようにしたが、チャンバーボックスに接続する排気管を室内空気取り入れダクト５５の下流側に接続し、室内空気取り入れダクト５５内を通過する室内空気の一部を熱交換器の一次側経路に直接流入させるようにしてもよい。
【図面の簡単な説明】
【００４２】
【図１】本発明の一実施の形態に係るソーラシステムハウスの説明図である。
【図２】（Ａ）、（Ｂ）はそれぞれ同ソーラシステムハウスの集熱装置の平断面図、側断面図である。
【図３】（Ａ）、（Ｂ）はそれぞれ同ソーラシステムハウスの外壁部通気路の平断面図、側断面図である。
【図４】集熱装置と外壁部通気路を接続する接続通気路の側断面図である。
【図５】外部空気取り入れダクトの設けられた熱交換器の説明図である。
【図６】本発明の一実施の形態に係るソーラシステムハウスで日照時に暖房を行なう場合のフロー図である。
【図７】同ソーラシステムハウスで日照時に暖房を行なう場合の空気の流れを示す説明図である。
【図８】同ソーラシステムハウスで非日照時に暖房を行なう場合のフロー図である。
【図９】同ソーラシステムハウスで非日照時に暖房を行なう場合の空気の流れを示す説明図である。
【図１０】同ソーラシステムハウスで夏季に冷房を行なう場合のフロー図である。
【図１１】同ソーラシステムハウスで夏季に冷房を行なう場合の空気の流れを示す説明図である。
【符号の説明】
【００４３】
１０：ソーラシステムハウス、１１：屋根、１２：集熱装置、１３：第１のダンパー、１４：吸気ダクト、１５：エアコンディショナー、１６：送風ダクト、１７：床下空間、１８：居室、１９：外壁、２０：空気取り入れ口、２１：外壁部通気路、２２：空気入口、２３：野地板、２４：屋根部通気路機構、２５：防水シート、２６：第１の屋根用枠体、２７：第１の補強部材、２８：薄鉄板、２９：第２の屋根用枠体、２９ａ：第２の補強部材、３０：透光性板、３１：空気出口、３２：集熱ダクト、３３：屋根、３４：第１の排出口、３５：第２の排出口、３６：外壁下地層、３７：外壁通気機構、３８：調湿シート、３９：壁用枠体、４０：縦胴縁、４１：外壁仕上げ材、４２：空気取り出し口、４３：カバー部材、４４：建物基礎、４５：接続通気路、４６：軒下材、４７：調湿シート、４８：軒下仕上げ材、４９：軒下補強材、５３：チャンバーボックス、５４：第２のダンパー、５５：室内空気取り入れダクト、５６：導入管、５７：外部空気取り入れダクト、５８：床下送風路、５９：居室送風路、６１：排気管、６２：一次側経路、６３：外部空気吸気部、６４：二次側経路、６５：熱交換器、６６：放出管、６７：第３のダンパー、６８：加熱空気取り出しダクト、６９：温水製造手段、７０：加熱空気経路、７１：水加熱経路、７２：熱交換器、７３：排熱ファン、７４：給湯タンク、７５：給湯用ボイラー、７６：給湯配管、７７：給湯装置
【図１】
0004637005.tif 000002
【図２】
0004637005.tif 000003
【図３】
0004637005.tif 000004
【図４】
0004637005.tif 000005
【図５】
0004637005.tif 000006
【図６】
0004637005.tif 000007
【図７】
0004637005.tif 000008
【図８】
0004637005.tif 000009
【図９】
0004637005.tif 000010
【図１０】
0004637005.tif 000011
【図１１】
0004637005.tif 000012